(57)【要約】【課題】現在、人が生誕してから一生を通じての医療データが存在しない。この為、旅行中、出張中（国内外の）の発病や医療機関を新たに変えた場合、本人の医療データが無いため、過去の病歴を参考にして適切な治療ができず、他に不必要な重複した検査や治療が行われる場合が多々発生する。こうした個人個人の医療データをライフタイムでデジタル保管し、医療機関に必要な時瞬時にインターネットを通して提供し、適切な、緊急にも対応できるサービスが必要である。【解決手段】こうした医療データを保管、開示する機関としてライフタイム・メディカルデータ・バンクを設立し、入会する各個人の医療データを保管、管理し、各個人や各医療機関にデジタル　ＩＤ　や個人鍵、公開鍵を与え、インターネットにて必要な時瞬時に医療データを開示することにより、人がいつでもどこでも適切な医療を受けられるようになる。【特許請求の範囲】
【請求項１】
現在、人が生まれてから一貫して終生（ライフタイムで）その医療データを保管している所もない為、健康管理上はなはだ不便な状態となっている。医療データ（カルテ、病歴、検査記録、医療画像：Ｘ−Ｒａｙ．ＭＲ．ＣＴ．ＵＳ．他）は全て患者のかかった医療機関（医院、病院、健康管理センター等）で通常保管されていて、他の医療機関に変えた場合、患者は再度医療検査等のやり直しをしなければならず、身体的にも金銭的にも負担を強いられる結果となる。又、そうした場合新しい医者の適切な判断にも影響を与えかねず、その為、緊急を要する場合の処置が間に合わないケースも多々発生しているのが実情である。国内の場合他都市への出張中、旅行中において万一発病又は事故等による怪我などの場合も、個人のいままでの医療データを以前かかった医療機関から緊急に入手することは不可能で、診療上または治療上著しく支障をきたしている。海外への出張、旅行中についても全く同じような問題が発生する。現在、大型病院は同系列のみで医療データの提供をＰＡＣＳで行っているが、広域性、非系列では全く利用できず、閉鎖的なものである。
１．ライフタイム・メディカルデータ・バンクの設立：
現在の医療機関の各系列などにとらわれず、どの医療機関でも患者の同意があれば生誕時からの全ての医療データを保管し、管理し、必要時に本人の要望があればいかなる医療機関（事前に登録されデジタルＩＤを保持しているもののみ）へも瞬時に個人の医療データを提供し、ライフタイムでの個人の健康管理、病気、傷害治療に寄与するメディカルデータ・バンクを設立する。
２．各個人のデジタルＩＤ：
ライフタイム・メディカルデータ・バンクへの入会は指紋又は印鑑証明のデジタル化及びデジタル署名の登録により、各個人はデジタルＩＤを入手でき、これにより本人の医療データは本人の希望により、かかわった医療機関から無条件で同バンクに生誕時からの全ての医療データは転送され、ライフタイム・メディカルデータ・バンクに保管される。又、本人がいかなる場所（国内外）においても、必要な場合はしかるべき医療機関から本人の要望により本人の医療データをライフタイム・メディカルデータ・バンクから該当の医療機関に提供されるように要求ができる。
３．医療機関のデジタルＩＤ：
全ての医療機関（医院、病院、健康管理センター等）はライフタイム・メディカルデータ・バンクに入会時、その代表者のデジタル署名登録を行うことにより、代表のデジタルＩＤが与えられる。医療機関は、患者の診療時に、患者の同意のもとに、瞬時に同バンクから患者の医療データをインターネットで入手し診療、治療などに役立たせることができる。なお、これらの医療機関は新たな検査を行ったり、新たな医療画像を入手した場合は無条件で同バンクに直ちに提供する義務を負うものとする。
４．医療機関の存続性：
医療機関によっては、事業の破たんや閉鎖が余儀無くされる場合がある為、個人の医療データも失われることが現状では避けられないが、こうした不可抗力による事故を防ぐ為にも、ライフタイム・メディカルデータ・バンクの存在は無くてはならないものになる。
５．各種保険との連携：
ライフタイム・メディカルデータ・バンクは世界中の各種保険と提携することにより、インターネットを通して、各種サービスの提供を患者に対しても、医療機関に対しても行うことができる。
６．デジタルデータの暗号化と高度なファイアウォールシステム：
各個人の医療データはデジタル暗号化され、又高度なファイアウォールシステムにより、その医療データのプライバシーは厳重に保たれる。
【発明の詳細な説明】
【０００１】
【発明が属する技術分野】
１．医療機関及び個人のデジタルＩＤ化：
デジタル照合の必要性から医療機関のデジタルＩＤ、個人のデジタルＩＤを入会（出来れば生誕時に入会させる）と同時にライフタイム・メディカルデータ・バンクから与えられる。これらのＩＤは基本的に個人はライフタイムで使えるものとし、医療機関はその存続が続く限り使えるものとする。
２．医療データの提供：
ＩＤ照合の結果、問題が無ければ医療機関から各個人の医療データをインターネットを通して、ライフタイム・メディカルデータ・バンクに転送し、保管依頼（ライフタイムで）が出来る。又逆に、こうしたＩＤ照合の結果、瞬時に医療データをインターネットを通して入手することが出来るシステム。
３．医療データの暗号化と高度なファイアウォールシステム：
各個人のプライバシーの保護や犯罪防止の為、全ての医療データはライフタイム・メディカルデータ・バンクで暗号化され保管される。また、同バンクへの不正アクセス防止の為、高度なファイアウォールシステムにより、大切な個人の医療データを保護する。
【０００２】
【従来の技術】
１．人が生まれてから、一生を通しての医療データが現状では存在しない。その為、各医療機関の医師等が参考にしたい過去の病歴や検査データが一貫して保管されていない為、患者に対してより適切な対応（診療、検査、治療等）が取りにくい。現在の時点では、人は医療機関にかかった場合の医療データ（カルテ、病歴、検査結果、医療画像等）はその医療機関が保管し、管理している。従って、他の医療機関に変えた場合、その患者の診療データは複雑な手続きを前の医療機関から要求されたり、借りるのが困難になる場合も応々にして発生する。又、したがって、新たな医療機関で再度重複した検査をを行う場合が殆どのため、患者に必要以上の金銭的な負担と肉体的苦痛を与える場合が多い。場合によっては、この重複した検査の時間の為治療のタイミングを失うケースも多々あるのは衆知の事実である。
２．又、医療機関によっては、医療画像も同系列の医療機関の場合、ＰＡＣＳ等で既存の画像データを入手することも可能であるが、非系列の医療機関に対しては対応していず、全くの閉鎖的な状態である。
【０００３】
【発明が解決しようとする課題】
１．人の一生を通しての、ライフタイム医療データが現状では存在しない為、医療機関の医師等が過去の病歴等の分析や参考にすることが出来ず、患者に対して一番適切と思われ処置、対応（診療、検査、治療等）が取れない。この問題を解決し人類の健康に寄与することが課題である。
２．上記の、現状の非効率的な医療機関の対応による重複した検査などを極力排除し、金銭的にも、肉体的にも患者の負担を軽減し、時間のロスを防ぐことが課題である。
３．また、系列、非系列を問わずバリアフリーでどこの医療機関（国内外）でも、患者の要求、承認により自由に患者の医療データ（過去のカルテ、検査結果、病歴、医療画像）を入手し、効率の良い治療に対応できることが課題である。
【０００４】
【課題を解決するための手段】
１．厳正、中立なデータバンクを設立し、個人の生誕時からの医療データ（病歴、カルテ、検査結果、医療画像）を個人の依頼によりデジタル化、暗号化して保管、管理をする。又、個人の依頼により、指定の医療機関にインターネットを通じ、暗号化医療データの開示、提供を行い課題の解決とする。このデータバンクの仮称はライフタイム・メディカルデータ・バンクとする。
２．各個人は自由にこのライフタイム・メディカルデータ・バンクに入会が出来る。入会時の条件（指紋登録又は印鑑登録のデジタル登録、デジタル署名、承諾書）を満たせば、医療データを預けることが出来る。なお、この医療データは本人の承諾、要求により指定の医療機関から提供されるものとする。同バンクは全ての医療データをデジタル化暗号化して保管、管理する。
３．また、医療機関は同様に自由にこのライフタイム・メディカルデータ・バンクに入会できる。入会時の条件（代表者の印鑑証明のデジタル登録、デジタル署名、承諾書）を満たすことにより、飽く迄、患者の同意によりインターネットを通して患者の医療データの開示や要求が同バンクに対して行える。また、逆に、患者の同意により、会員の医療機関は随時新しい医療データを、同バンクに提供しなければならない。
４．このように、同バンク、医療機関、個人のインターネットを通してのライフタイムにおけるトライアングルシステムにより、患者／医療機関ともいつどこでも（国内外）必要なときや緊急時に医療データを有効に活用でき課題解決に大いに貢献できる。
【０００５】
【発明の実施の形態】
１．実施にあたっては、ライフタイム・メディカルデータ・バンクを組織的には財団法人又は政府又は地方自治体の外核団体又はＷＨＯ承認の機関とすることにより、非営利性、中立性、信頼性が得られる。
２．同バンクは個人の医療データをライフタイム・メディカルデータ・バンクで保管しなければならない為、独自の大容量に対応したサーバーとコンピューターシステムを構築しなければならない。又、通信インフラ手段としては第３世代を睨み光ファイバーをベースとする。
３．職員は管理クラスを除き、医療技術者、コンピューター技術者を確保するのは必須条件となる。
４．特にデジタル認証システムとしてはアウトソーシング（特に著名な海外のセキュリティソフト）をベースにさらにそれ以上のシステム構築を行う。
５．資本金以外の運営資金としては、個人の入会費、年会費、医療機関の入会費、年会費及び保険機関からの提携費によって賄う。
【０００６】
【実施例】
１．このバンクシステムを構築することにより、日本のみならず世界中の人々がライフタイムで、場所を選ばず（国内外で）より効率的な信頼できる病気治療を受けることが出来、文字どおりライフタイムで人類の健康的生活や発展に大きく貢献できるものである。
２．さらに、同バンクシステムの普及と共に、各医療機関の大型検査器械（Ｘ線、ＭＲ、ＣＴ、ＵＳ等）とインターネットで直結させることにより、患者の医療データ（医療画像）が同バンクのコンピューターに自動的にデジタルデータとして、暗号化に貯蔵され、さらなる効率アップが実現できる。
【発明の効果】
【図面の簡単な説明】
【図１】ライフタイム・メディカルデータ・バンクと医療機関と個人の間のそれぞれの役割と内容についてのシステムとフローチャートである。
【図２】ライフタイム・メディカルデータ・バンクと医療機関と個人の間のインターネットを通じて行われるそれぞれのデジタル通信の内容とシステムのフローチャートである。
【図１】
2004038821.tif 000002
【図２】
2004038821.tif 000003